(57)【要約】【課題】リニア方式テープドライブに使用される磁気ヘッド装置の構造を簡略化し、製造コストを低減する。【解決手段】台座２上に磁気テープに対向するように負圧スライダ３，４が設けられ、当該負圧スライダ３，４の磁気テープ対向面に磁気テープに対して記録再生を行う複数の磁気ヘッド素子の磁気ギャップｇが配列されている。台座２及び負圧スライダ３，４の幅が磁気テープ幅よりも小である。負圧スライダは、ハードディスク用磁気ヘッドの負圧スライダを流用したものである。このような構成の磁気ヘッド装置では、磁気テープ走行方向において、負圧スライダの入口側及び出口側で正圧効果により磁気テープが浮上し、負圧溝で負圧効果により磁気テープが吸着される。【選択図】  図１
2004295951.tif 000002
【特許請求の範囲】
【請求項１】
台座上に磁気テープに対向するように負圧スライダが設けられ、当該負圧スライダの磁気テープ対向面に磁気テープに対して記録再生を行う複数の磁気ヘッド素子の磁気ギャップが配列されていることを特徴とする磁気ヘッド装置。
【請求項２】
前記台座及び負圧スライダの幅が磁気テープ幅よりも小であることを特徴とする請求項１記載の磁気ヘッド装置。
【請求項３】
前記負圧スライダは、磁気テープ走行方向と直交する負圧溝を有することを特徴とする請求項１記載の磁気ヘッド装置。
【請求項４】
磁気テープ走行方向において、負圧スライダの入口側及び出口側では正圧効果により磁気テープが浮上し、前記負圧溝では負圧効果により磁気テープが吸着されることを特徴とする請求項３記載の磁気ヘッド装置。
【請求項５】
前記負圧スライダは、ハードディスク用磁気ヘッドの負圧スライダを流用したものであることを特徴とする請求項１記載の磁気ヘッド装置。
【発明の詳細な説明】
【０００１】
【発明の属する技術分野】
本発明は、リニア方式テープドライブに搭載される磁気ヘッド装置に関するものである。
【０００２】
【従来の技術】
例えばコンピュータシステムのバックアップ用記憶装置として、ＤＬＴ（Ｄｉｇｉｔａｌ  Ｌｉｎｅａｒ  Ｔａｐｅ）やＬＴＯ（Ｌｉｎｅａｒ  Ｔａｐｅ  Ｏｐｅｎ）に代表されるリニア方式テープドライブが知られている（例えば、特許文献１等を参照）。
【０００３】
【特許文献１】
特開平９−１９８６３９号公報
リニア方式のテープドライブは、磁気テープが巻回されてなる単一の供給リールを有するテープカートリッジが着脱自在に用いられ、このテープカートリッジの着脱機構、磁気テープを巻き取るための巻き取りリール、供給リール、巻き取りリールを回転駆動する駆動機構、磁気テープに対して磁気信号の記録や再生を行う磁気ヘッド装置、及び磁気信号を電気信号に変換する信号回路等を備えている。
【０００４】
リニア方式テープドライブにおいては、テープカートリッジが装着されると、ガイドローラ等によって供給リールから磁気テープが引き出され、巻き取りリールに係止される。そして、巻き取りリール及び供給リールを回転駆動することにより磁気テープが走行し、これに磁気ヘッド装置を摺接させることで、磁気テープに対して磁気信号の記録や再生が行われる。
【０００５】
ここで、リニア方式テープドライブに搭載される従来の磁気ヘッド装置の一例について説明する。リニア方式テープドライブの磁気ヘッド装置は、通常、磁気テープが摺動する摺動面に臨んで複数の磁気ヘッド素子の磁気ギャップが並列に配列されてなり、これら複数の磁気ヘッド素子により、磁気テープに対して同時に多チャンネルでの記録再生が行われる。
【０００６】
この種の磁気ヘッド装置の代表例を図４に示す。この磁気ヘッド装置１００は、複数の磁気ヘッド素子１０２が配列されるヘッドチップ１０３と、ヘッドチップ１０３を磁気テープ幅方向で挟持するように配設された一対のサイドチップ１０４と、これらヘッドチップ１０３及びサイドチップ１０４が取り付けられた台座１０５と、ヘッドチップ１０３及びサイドチップ１０４の磁気テープ入口側及び出口側に配されたレールチップ１０６とから構成されている。
【０００７】
【発明が解決しようとする課題】
ところで、このような構成の磁気ヘッド装置は、図５に示すように磁気テープ１０７に対して摺接して記録再生を行うことから、磁気ヘッド素子と磁気テープ１０７との接触状態が重要であり、安定的な摺動特性を確保するために摺動面全面を上記のように４〜６本のレールで構成する等、走行系が複雑なものとなっている。また、ヘッドチップ１０３やサイドチップ１０４、さらにはレールチップ１０６には、磁気テープに対する良好な摺動性を確保し、十分な耐磨耗性を得るために、アルミナ−チタンカーバイド（Ａｌ２Ｏ３−ＴｉＣ）等の高価で高硬度なセラミックス材料が用いられている。
【０００８】
また、リニア方式のテープドライブでは、磁気ヘッド装置は磁気テープ１０７の幅方向に移動自在とされており、磁気テープ１０６の上端部や下端部に設定された記録トラックに対して記録再生を行う場合には、配列される磁気ヘッド素子が所定の記録トラックに対応するように磁気ヘッド装置が図４において上下方向に移動させて記録再生を行うようにしている。
【０００９】
したがって、磁気ヘッド装置が磁気テープ１０６に形成された全ての記録トラックに対して記録再生を行うためには、図４中に示す幅Ｌだけ磁気ヘッド装置の幅を移動のために確保しておく必要がある。
【００１０】
これは、磁気ヘッド装置の小型化の妨げになるばかりでなく、サイドチップ１０４やレールチップ１０６にも余分な大きさが要求されることになり、製造コストを低減する上で大きな障害となる。先にも延べたように、サイドチップ１０４やレールチップ１０６は、良好な摺動性、耐磨耗性を有する高価なセラミックス材料によって形成されるため、その大型化は高価な原材料の量を削減するという観点から不利である。
【００１１】
本発明は、このような従来の実情に鑑みて提案されたものであり、構造を簡略化することができ、製造コストを低減することが可能な磁気ヘッド装置を提供することを目的とする。さらに、本発明は、小型化する上でも有利な磁気ヘッド装置を提供することを目的とする。
【００１２】
【課題を解決するための手段】
上述した目的を達成するするために、本発明の磁気ヘッド装置は、台座上に磁気テープに対向するように負圧スライダが設けられ、当該負圧スライダの磁気テープ対向面に磁気テープに対して記録再生を行う複数の磁気ヘッド素子の磁気ギャップが配列されていることを特徴とするものである。
【００１３】
本発明の磁気ヘッド装置は、例えばハードディスク用磁気ヘッドの負圧スライダを流用したものであり、この負圧スライダの働きにより磁気テープに対して非接触で記録再生が行われる。したがって、サイドチップやレールチップ等、良好な摺動を実現するための高価な部材が不要であり、製造コストが大きく削減され、併せて磁気ヘッド装置の小型化も実現される。
【００１４】
【発明の実施の形態】
以下、本発明を適用した磁気ヘッド装置の具体的な実施の形態について図面を参照しながら詳細に説明する。
【００１５】
本実施形態の磁気ヘッド装置１は、ハードディスク用磁気ヘッドの負圧スライダを流用したものであり、図１（ａ）及び図１（ｂ）に示すように、台座２上に一対のハードディスク用負圧スライダ３，４を貼り付けることにより構成されている。
【００１６】
ここで、ハードディスク用負圧スライダ３，４は、ハードディスク用磁気ヘッドのローバー（Ｒｏｗｂａｒ）を利用したものである。ハードディスク用磁気ヘッドのローバーは、例えば磁気ヘッド素子がスライダ材料に埋め込み形成されたものであり、個々のハードディスク用磁気ヘッドに切り出す前の状態のものである。したがって、このハードディスク用磁気ヘッドのローバーでは、複数の磁気ヘッド素子が並列に配列された状態となっており、各磁気ヘッド素子の磁気ギャップｇが一列に配列され、多チャンネル化された状態となっている。
【００１７】
本実施形態では、このハードディスク用磁気ヘッドのローバー、すなわちハードディスク用負圧スライダ３，４を２本配列し、これらハードディスク用負圧スライダ３，４間に負圧溝５を形成している。負圧溝５は、磁気テープが走行した際に負圧を発生する溝であり、溝幅や溝深さを適宜設計することで、発生する負圧の大きさ等をコントロールすることが可能である。
【００１８】
前記負圧溝５を設けることにより、正圧効果による磁気テープの浮上と、負圧効果による磁気テープの吸着が起こり、磁気テープの非接触走行と、磁気ギャップｇにおける良好な記録再生を両立することができる。図２は、本実施形態の磁気ヘッド装置１におけるテープ安定走行のメカニズムを示すものである。本実施形態の磁気ヘッド装置１に対して磁気テープ６を走行させた場合、磁気ヘッド装置１の磁気テープ走行方向の入口側、及び出口側では、空気の流れによって正圧効果が発生し、磁気テープ６は浮上する。一方、負圧溝５においては、磁気テープ６の走行に伴って負圧が発生し、磁気テープ６を吸着する。
【００１９】
これら効果により、本実施形態の磁気ヘッド装置１では、ハードディスク用負圧スライダ３，４から磁気テープ６をナノメートルオーダーで浮上させることができ、磁気ヘッド（ハードディスク用負圧スライダ３，４）と磁気テープ６との間の摩擦を低減することが可能である。また、負圧溝５による負圧効果により、磁気ギャップｇに対して磁気テープ６を近づけることができ、良好な記録再生特性を実現することも可能である。これら効果により、本実施形態の磁気ヘッド装置１では、走行に際して磁気テープ６を磁気ヘッド装置１に巻き付ける必要がなく、したがってテープ走行系を簡略化することが可能である。
【００２０】
図３（ａ）及び図３（ｂ）は、本実施形態の磁気ヘッド装置１の磁気テープ６に対する走行状態を示すものである。本実施形態の磁気ヘッド装置１では、平坦な磁気テープ６面に対して磁気ヘッド装置１が移動することから、磁気テープ６の幅ｗ１に対して磁気ヘッド装置１の幅ｗ２が小さくすることができる。このように磁気ヘッド装置１の幅ｗ２が磁気テープ６の幅ｗ１よりも小さくても、前述のように磁気ヘッド装置１は磁気テープ６に対して浮上走行することから、例えばハードディスク用負圧スライダ３，４のエッジ部分で磁気テープ６に対してダメージを与えることはない。
【００２１】
したがって、本実施形態の磁気ヘッド装置１では、ヘッドスライダの体積を必要最低限に最適化することが可能であり、高価な原材料の使用量を大幅に削減することができ、製造コストを抑えることが可能である。また、ヘッドスライダの体積の必要最低限への最適化は、磁気ヘッド装置１を小型化する上でも有利である。さらに、負圧スライダとしてハードディスク用負圧スライダ（ローバー）を流用することができるので、この点においても低価格の磁気ヘッド装置の提供が可能となる。
【００２２】
以上、本発明を適用した磁気ヘッド装置について説明してきたが、本発明がこの実施形態に限られるものではなく、その趣旨を逸脱しない範囲で適宜変更が可能であることは言うまでもない。
【００２３】
【発明の効果】
以上詳細に説明したように、本発明によれば、リニア方式テープドライブに用いられる磁気ヘッド装置の構造を簡略化することができ、小型化を実現することが可能である。また、高価な原材料の使用量を大幅に削減することができ、製造コストを低減することが可能である。
【図面の簡単な説明】
【図１】本発明を適用した磁気ヘッド装置の概略構成を示すものであり、（ａ）は正面図、（ｂ）は磁気テープ対向面の平面図である。
【図２】本発明を適用した磁気ヘッド装置におけるテープ走行メカニズムを説明するための図である。
【図３】本発明を適用した磁気ヘッド装置の走行状態を示すものであり、（ａ）は側面図、（ｂ）は平面図である。
【図４】従来の磁気ヘッド装置の概略構成を示すものであり、（ａ）は正面図、（ｂ）は磁気テープ対向面の平面図である。
【図５】従来の磁気ヘッド装置の走行状態を示す側面図である。
【符号の説明】
１        磁気ヘッド装置
２        台座
３，４    ハードディスク用負圧スライダ
５        負圧溝
６        磁気テープ
【図１】
2004295951.tif 000003
【図２】
2004295951.tif 000004
【図３】
2004295951.tif 000005
【図４】
2004295951.tif 000006
【図５】
2004295951.tif 000007